(57)【要約】      （修正有）【課題】簡易な構造で、コネクタ内部における異物の発生を抑制することを目的とする。【解決手段】コネクタ付電線２０は、背部側に開口するキャビティ２６を有するコネクタハウジング２２と、電線３６と電線３６の端部に取付けられた端子とを有し、端子がキャビティ２６内で保持されると共に電線３６がキャビティ２６の背面側開口を通ってコネクタハウジング２２の外周囲外方に向けて延出された状態で、コネクタハウジング２２に接続された端子付電線３０と、電線３６がコネクタハウジング２２の外周囲外方に向けて延出する側で開口すると共に、コネクタハウジング２２の背部側で少なくともキャビティ２６の開口を覆うように、コネクタハウジング２２に取付けられた覆い部材６０とを備える。【選択図】図１
2018037148.tif 000002
【特許請求の範囲】
【請求項１】
背部側に開口するキャビティを有するコネクタハウジングと、
電線と前記電線の端部に取付けられた端子とを有し、前記端子が前記キャビティ内で保持されると共に前記電線が前記キャビティの背面側開口を通って前記コネクタハウジングの外周囲外方に向けて延出するように曲げられた状態で、前記コネクタハウジングに接続された端子付電線と、
前記電線が前記コネクタハウジングの外周囲外方に向けて延出する側で開口すると共に、前記コネクタハウジングの背部側で少なくとも前記キャビティの開口を覆うように、前記コネクタハウジングに取付けられた覆い部材と、
を備えるコネクタ付電線。
【請求項２】
請求項１に記載のコネクタ付電線であって、
前記覆い部材は、前記電線が前記コネクタハウジングの外周囲外方に向けて延出する側とは反対側でも開口するように、前記コネクタハウジングに取付けられている、コネクタ付電線。
【請求項３】
請求項１又は請求項２に記載のコネクタ付電線であって、
前記電線は、前記コネクタハウジングの設置姿勢において、下方向に向けて引出されている、コネクタ付電線。
【請求項４】
請求項１から請求項３のいずれか１項に記載のコネクタ付電線であって、
前記覆い部材は、前記コネクタハウジングに粘着した粘着テープである、コネクタ付電線。
【請求項５】
請求項１から請求項４のいずれか１項に記載のコネクタ付電線と、
背部側に開口する相手側キャビティを有し、前記コネクタハウジングに嵌合される相手側コネクタハウジングと、
相手側電線と前記相手側電線の端部に取付けられた相手側端子とを有し、前記相手側端子が前記相手側キャビティ内で保持されると共に前記相手側電線が前記相手側キャビティの背面側開口を通って前記相手側コネクタハウジングの外周囲外方に向けて延出するように曲げられた状態で、前記相手側コネクタハウジングに接続された相手側端子付電線と、
を備え、
前記覆い部材は、前記コネクタハウジングと前記相手側コネクタハウジングとが嵌合された状態で、前記相手側電線が前記相手側コネクタハウジングの外周囲外方に向けて延出する側で開口すると共に、前記相手側コネクタハウジングの背部側で少なくとも前記相手側キャビティの開口を覆うように、前記コネクタハウジングと前記相手側コネクタハウジングとの嵌合体の周囲を囲んだ状態で、その嵌合体に取付けられている、コネクタ付電線の嵌合体。
【発明の詳細な説明】
【技術分野】
【０００１】
この発明は、コネクタ内部において異物の発生を抑制する技術に関する。
【背景技術】
【０００２】
特許文献１は、電線と、前記電線の端部に接続されたコネクタと、テープ状の紫外線硬化樹脂からなる基体と粘着剤との２層構造を有する紫外線硬化粘着テープが前記コネクタから前記電線に亘る部分に前記粘着剤を内側にして巻き付けられて硬化した部材からなり、前記コネクタと前記電線との間の隙間を覆う被覆部材とを備えるコネクタ付電線を開示している。
【先行技術文献】
【特許文献】
【０００３】
【特許文献１】特開２０１３-１８７００４号公報
【発明の概要】
【発明が解決しようとする課題】
【０００４】
しかしながら、特許文献１に開示の技術では、紫外線硬化粘着テープをコネクタから電線に亘る部分に巻付ける必要があり、その作業が面倒である。このため、高い防水性能が要請される箇所以外では、過剰な防水被覆構造となってしまう。
【０００５】
もっとも、高い防水性能が要請される箇所以外においても、コネクタ内部に異物が発生し、これがコネクタの電気的性能に何らかの影響を及してしまう恐れがある。
【０００６】
そこで、本発明は、簡易な構造で、コネクタ内部における異物の発生を抑制できるようにすることを目的とする。
【課題を解決するための手段】
【０００７】
上記課題を解決するため、第１の態様に係るコネクタ付電線は、背部側に開口するキャビティを有するコネクタハウジングと、電線と前記電線の端部に取付けられた端子とを有し、前記端子が前記キャビティ内で保持されると共に前記電線が前記キャビティの背面側開口を通って前記コネクタハウジングの外周囲外方に向けて延出するように曲げられた状態で、前記コネクタハウジングに接続された端子付電線と、前記電線がコネクタハウジングの外周囲外方に向けて延出する側で開口すると共に、前記コネクタハウジングの背部側で少なくとも前記キャビティの開口を覆うように、前記コネクタハウジングに取付けられた覆い部材とを備える。
【０００８】
第２の態様は、第１の態様に係るコネクタ付電線であって、前記覆い部材は、前記電線がコネクタハウジングの外周囲外方に向けて延出する側とは反対側でも開口するように、前記コネクタハウジングに取付けられているものである。
【０００９】
第３の態様は、第１又は第２の態様に係るコネクタ付電線であって、前記電線は、前記コネクタハウジングの設置姿勢において、下方向に向けて引出されているものである。
【００１０】
第４の態様は、第１から第３のいずれか１つの態様に係るコネクタ付電線であって、前記覆い部材は、前記コネクタハウジングに粘着した粘着テープとされている。
【００１１】
第５の態様に係るコネクタ付電線の嵌合体は、第１から第４のいずれか１つの態様に係るコネクタ付電線と、背部側に開口する相手側キャビティを有し、前記コネクタハウジングに嵌合される相手側コネクタハウジングと、相手側電線と前記相手側電線の端部に取付けられた相手側端子とを有し、前記相手側端子が前記相手側キャビティ内で保持されると共に前記相手側電線が前記相手側キャビティの背面側開口を通って前記相手側コネクタハウジングの外周囲外方に向けて延出するように曲げられた状態で、前記相手側コネクタハウジングに接続された相手側端子付電線とを備え、前記覆い部材は、前記コネクタハウジングと前記相手側コネクタハウジングとが嵌合された状態で、前記相手側電線が相手側コネクタハウジングの外周囲外方に向けて延出する側で開口すると共に、前記相手側コネクタハウジングの背部側で少なくとも前記相手側キャビティの開口を覆うように、前記コネクタハウジングと前記相手側コネクタハウジングとの嵌合体の周囲を囲んだ状態で、その嵌合体に取付けられている。
【発明の効果】
【００１２】
第１の態様によると、覆い部材は、電線がコネクタハウジングの外周囲外方に向けて延出する側で開口すると共に、コネクタハウジングの背部側で少なくともキャビティの開口を覆うように、コネクタハウジングに取付ければよいため、簡易な構造とすることができる。また、風がキャビティの開口を経てキャビティ内に吹込み難くなるため、コネクタ内部における異物の発生を抑制できる。
【００１３】
第２の態様によると、覆い部材は、前記電線がコネクタハウジングの外周囲外方に向けて延出する側とは反対側でも開口するように、前記コネクタハウジングに取付けられているため、当該覆い部材を容易にコネクタハウジングに取付けることができる。
【００１４】
第３の態様によると、電線を伝わった液体がキャビティ内に進入し難くなる。
【００１５】
第４の態様によると、汎用性ある粘着テープを用いることができる。
【００１６】
第５の態様によると、覆い部材は、コネクタハウジングと相手側コネクタハウジングとの嵌合体の周囲を囲んだ状態で、キャビティの開口及び相手側キャビティの開口を覆っているため、簡易な構造で、嵌合されるコネクタハウジングと相手側コネクタハウジングとのそれぞれの内部における異物の発生を抑制できる。
【図面の簡単な説明】
【００１７】
【図１】実施形態に係るコネクタ付電線の嵌合体を示す概略斜視図である。
【図２】同上の嵌合体を示す概略平面図である。
【図３】図２のＩＩＩ−ＩＩＩ線概略断面図である。
【図４】コネクタ付電線の設置姿勢と電線の延出方向との関係を示す説明図である。
【図５】キャビティの背部側開口と覆い部材との関係を示す説明図である。
【図６】キャビティに向かう風の様子を示す説明図である。
【図７】比較例においてキャビティに向かう風の様子を示す説明図である。
【図８】変形例に係る端子付電線を示す概略斜視図である。
【発明を実施するための形態】
【００１８】
以下、実施形態に係るコネクタ付電線を含むコネクタ付電線の嵌合体について説明する。図１はコネクタ付電線２０、４０の嵌合体１０を示す概略斜視図であり、図２は同嵌合体１０を示す概略平面図であり、図３は図２のＩＩＩ−ＩＩＩ線概略断面図である。
【００１９】
コネクタ付電線２０、４０の嵌合体１０は、第１コネクタ付電線２０と第２コネクタ付電線４０と、覆い部材６０とを備える。かかる嵌合体１０は、例えば、車両等における配線材として用いられる。本コネクタ付電線２０、４０の嵌合体１０は、定常的な水かかりの恐れが少ない箇所、例えば、車室内に配設される態様で用いられることが好ましい。
【００２０】
第１コネクタ付電線２０は、コネクタハウジング２２と、端子付電線３０とを備える。
【００２１】
コネクタハウジング２２は、樹脂等の絶縁材料によって形成されている。コネクタハウジング２２には、背部側に開口するキャビティ２６が形成されている。
【００２２】
より具体的には、コネクタハウジング２２は、基端部２４と筒状の先端部２３とを備える。基端部２４は、直方体状、より具体的には、偏平な直方体状に形成されている。この基端部２４内に、その先端側から背部側に向けて貫通するキャビティ２６が形成されている。ここでは、キャビティ２６は、角孔状に形成されており、背部側の開口は、方形状をなしている。先端部２３は、基端部２４の先端部から突出する筒状（ここでは、角筒状）に形成されている。キャビティ２６の先端側開口は、筒状をなす先端部２３内に開口している。先端部２３には、後述する相手側コネクタハウジング４２が嵌合される。ここで、コネクタハウジング２２のうち相手側コネクタハウジング４２に嵌合される側を先端側、その反対側を背部側という。
【００２３】
基端部２４には、複数のキャビティ２６が形成されている。複数のキャビティ２６は、コネクタハウジング２２の幅方向及び高さ方向のそれぞれにおいて異なる位置に配置され、前後方向に貫通した形態で形成されている。ここでは、複数のキャビティ２６は、縦２段、横４列に規則的に並ぶように形成されている。なお、キャビティ２６の幅方向の数、及び、高さ方向の数は、コネクタハウジングとして必要とされる端子の数等に応じて任意に決定される。キャビティ２６内には、端子係止固定用の突起（ランスと呼ばれることがある）が形成されており、キャビティ２６の背部側開口から端子３２が挿入されると、端子３２は、キャビティ２６内に抜け止め状態で保持される。
【００２４】
端子付電線３０は、端子３２と、電線３６とを備え、上記コネクタハウジング２２に接続されている。
【００２５】
電線３６は、導電性の芯線の外周に絶縁性樹脂が押出被覆等されることで被覆部が形成された構成とされている。芯線は、アルミニウム、アルミニウム合金、銅又は銅合金等を材料として形成されている。本電線３６は、車両等の配設対象箇所に配設された状態で、車両等に搭載された各種電気機器同士を電気的に接続するものとして用いられる。
【００２６】
電線３６の端部では、被覆部が除去されて芯線が露出している。この露出した芯線に、端子３２が圧着等によって接続されている。
【００２７】
端子３２は、金属板材をプレス加工等することにより形成された部材である。金属材料としては、アルミニウム、アルミニウム合金、銅又は銅合金等を用いることができる。なお、電線３６の芯線と端子３２とが異種金属によって形成されている場合、それらの接続部分で異種金属接触腐食が生じ易い。異種金属接触腐食は、異種金属が電解質水溶液に曝されることで生じ易くなる。このため、キャビティ２６内の端子３２，電線３６の芯線等に異物が付着することを抑制することが好ましい。
【００２８】
端子３２は、電線接続部と接続部とを含む。電線接続部は、電線３６の端部に取付けられる部分であり、電線３６のうち被覆部に圧着される被覆圧着部と、芯線に圧着される芯線圧着部とを備える。接続部は、相手方の端子と電気的に接続される部分である。接続部は、筒形状のメス端子形状であってもよいし、タブ状又はピン状のオス端子形状であってもよい。ここでは、接続部はオス端子形状である例で説明する。
【００２９】
上記端子３２は、電線３６の端部に取付けられた状態で、キャビティ２６の背部側開口から当該キャビティ２６内に挿入されて保持される。この状態で、接続部は、基端部２４から先端部２３内に突出している。
【００３０】
この状態で、電線３６は、キャビティ２６の背部側開口を通り、コネクタハウジング２２の外方に延出するように曲げられている。キャビティ２６の背部側開口から延出した箇所で、電線３６は、中心角９０度の弧を描くように曲げられ、コネクタハウジング２２の外周囲外方に向けて延出している。コネクタハウジング２２の外周囲外方とは、当該コネクタハウジング２２が相手側コネクタハウジング４２に嵌合される方向に対して直交する方向をいう。ここでは、電線３６は、コネクタハウジング２２の偏平方向に対して直交する方向に引出されている。本実施形態では、複数のキャビティ２６から延出する複数の電線３６は、同じ方向に引出されている。複数の電線３６は、同じ方向に引出されることが好ましいが、これは必須ではなく、例えば、複数の電線の一部がコネクタハウジングの外周囲外方に向く一方向に向けて引出され、残部がその反対側に引出されてもよい。
【００３１】
なお、コネクタハウジング２２に端子３２が組み付けられたものがコネクタである。
【００３２】
第２コネクタ付電線４０は、相手側コネクタハウジング４２と、相手側端子付電線５０とを備える。
【００３３】
相手側コネクタハウジング４２は、樹脂等の絶縁材料によって形成されている。相手側コネクタハウジング４２には、背部側に開口する相手側キャビティ４６が形成されている。
【００３４】
相手側コネクタハウジング４２は、コネクタハウジング２２と嵌合可能に構成されている。より具体的には、相手側コネクタハウジング４２は、直方体状、ここでは、偏平な直方体状に形成されている。相手側コネクタハウジング４２の先端部は、上記先端部２３内に嵌合可能に構成されている。
【００３５】
相手側コネクタハウジング４２内に、その先端側から背部側に向けて貫通する相手側キャビティ４６が形成されている。ここでは、相手側キャビティ４６は、正面視略角筒状に形成されており、背部側の開口は、方形状をなしている。ここで、相手側コネクタハウジング４２のうちコネクタハウジング２２に嵌合される側を先端側、その反対側を背部側という。
【００３６】
相手側コネクタハウジング４２には、複数の相手側コネクタハウジング４２が形成されている。複数の相手側キャビティ４６は、相手側コネクタハウジング４２の幅方向及び高さ方向のそれぞれにおいて異なる位置に形成されている。ここでは、複数の相手側キャビティ４６は、上記複数のキャビティ２６と合わせて、縦２段、横４列に規則的に並ぶように形成されている。相手側キャビティ４６内には、端子係止用の突起（ランスと呼ばれることがある）が形成されており、相手側キャビティ４６の背部側開口から相手側端子５２が挿入されると、相手側端子５２は、相手側キャビティ４６内に抜け止状態で保持される。
【００３７】
相手側端子付電線５０は、相手側端子５２と、相手側電線５６とを備え、上記相手側コネクタハウジング４２に接続されている。
【００３８】
相手側電線５６は、電線３６と同様の部材である。
【００３９】
相手側端子５２は、上記端子３２と同様の部材である。しかしながら、相手側端子５２は、上記端子３２と接続可能に構成されているため、その接続部は、筒形状のメス端子形状に形成されている。
【００４０】
上記相手側端子５２は、相手側電線５６の端部に取付けられた状態で、相手側キャビティ４６の背部側開口から当該相手側キャビティ４６内に挿入されて保持される。この状態で、接続部は、相手側キャビティ４６内に配設されている。
【００４１】
相手側電線５６は、相手側キャビティ４６の背部側開口を通り、相手側コネクタハウジング４２の外周囲外方に延出するように曲げられている。相手側キャビティ４６の背部側開口から延出した箇所で、相手側電線５６は、中心角９０度の弧を描くように曲げられ、相手側コネクタハウジング４２の外周囲外方に向けて延出している。上記と同様、相手側コネクタハウジング４２の外周囲外方とは、当該相手側コネクタハウジング４２がコネクタハウジング２２に嵌合される方向に対して直交する方向をいう。ここでは、相手側電線５６は、相手側コネクタハウジング４２の偏平方向に対して直交する方向であって、上記電線３６と同方向に引出されている。上記と同様に、複数の相手側電線５６は、同じ方向に引出されている。
【００４２】
コネクタハウジング２２と相手側コネクタハウジング４２とがコネクタ嵌合された状態で、コネクタハウジング２２の基端部２４から突出する端子３２の接続部が、先端部２３内に配設された相手側端子５２の接続部に挿入接続され、これにより、端子３２と相手側端子５２とが接続された状態に維持される。
【００４３】
覆い部材６０は、第１コネクタ付電線２０との関係でいうと、電線３６がコネクタハウジング２２の外周囲外方に向けて延出する側（図３においてコネクタハウジング２２の
背部側の下側）で開口させた状態で、コネクタハウジング２２の背部側でキャビティ２６の開口を覆うように、コネクタハウジング２２に取付けられた部材である。また、第２コネクタ付電線４０との関係でいうと、覆い部材６０は、相手側電線５６が相手側コネクタハウジング４２の外周囲外方に向けて延出する側（図３においてコネクタハウジング４２の背部側の下側）で開口すると共に、相手側コネクタハウジング４２の背部側で相手側キャビティ４６の開口を覆うように、相手側コネクタハウジング４２に取付けられた部材である。
【００４４】
ここでは、覆い部材６０は、ポリ塩化ビニル等の樹脂製帯状基材の一方主面に粘着層が形成された粘着テープ６２によって形成されている。粘着テープ６２は、コネクタハウジング２２と相手側コネクタハウジング４２との嵌合体６４の周囲を囲むように巻き付けられる。より具体的には、粘着テープ６２が、嵌合体６４において、コネクタハウジング２２の背部、相手側コネクタハウジング４２の背部、及び、嵌合体６４のうち対向する両側面周りに巻回されて、それらに粘着することによって、覆い部材６０が形成される。粘着テープ６２は、嵌合体６４の周りに１周程度巻き付けられてもよいし、複数周巻き付けられてもよい。また、粘着テープ６２を嵌合体６４の周りに複数周巻き付ける際に、周毎に粘着テープ６２をずらしていくようにしてもよい。これにより、粘着テープ６２の幅以上の任意幅の領域を覆える。上記粘着テープ６２は、嵌合体６４の両側面側では、コネクタハウジング２２又は相手側コネクタハウジング４２の両側面に粘着する。また、粘着テープ６２は、コネクタハウジング２２の背部では、当該背部から曲がりつつ引出される電線３６の曲げ部分に外側から粘着し、電線３６が当該方向に引出された状態となるように維持する役割を果たす。また、粘着テープ６２は、相手側コネクタハウジング４２の背部では、当該背部から曲がりつつ引出される相手側電線５６の曲げ部分に外側から粘着し、相手側電線５６が当該方向に引出された状態となるように維持する役割を果たす。いずれにせよ、覆い部材６０は、コネクタハウジング２２に取付けられているし、相手側コネクタハウジング４２にも取付けられている。
【００４５】
なお、図４に示すように、本コネクタ付電線２０、４０の嵌合体１０が車両等におけるボディＢ等に沿って配設されている設置姿勢を想定すると、電線３６、５６は、重力方向において下方向に向けて引出されていることが好ましい。これにより、電線３６、５６を伝ってコネクタハウジング２２、相手側コネクタハウジング４２内に水が浸入し難くなるからである。電線３６、５６は、傾斜しつつ下方向に向けて引出されていてもよい。
【００４６】
覆い部材６０がコネクタハウジング２２を覆った状態で、電線３６が引出される側（ここでは、コネクタハウジング２２の偏平方向に対して垂直な一方側）で、覆い部材６０とコネクタハウジング２２との間に開口が形成されている。また、ここでは、電線３６が延出する側とは反対側（コネクタハウジング２２の偏平方向に対して垂直な他方側）でも、覆い部材６０とコネクタハウジング２２との間に開口が形成されている。
【００４７】
また、図５に示すように、コネクタハウジング２２を背部側から観察すると、覆い部材６０は、キャビティ２６の背部側開口を覆っている。好ましくは、コネクタハウジング２２を背部側から観察すると、複数のキャビティ２６の開口が設けられた領域は、覆い部材６０が設けられた領域内に設けられている。
【００４８】
また、同様に、覆い部材６０が相手側コネクタハウジング４２を覆った状態で、相手側電線５６が引出される側（ここでは、相手側コネクタハウジング４２の偏平方向に対して垂直な一方側）で、覆い部材６０と相手側コネクタハウジング４２との間に開口が形成されている。また、ここでは、相手側電線５６が延出する側とは反対側（コネクタハウジング２２の偏平方向に対して垂直な他方側）でも、覆い部材６０と相手側コネクタハウジング４２との間に開口が形成されている。
【００４９】
また、相手側コネクタハウジング４２を背部側から観察すると、覆い部材６０は、相手側キャビティ４６の背部側開口を覆っている。好ましくは、相手側コネクタハウジング４２を背部側から観察すると、複数の相手側コネクタハウジング４２の開口が設けられた領域は、覆い部材６０が設けられた領域内に設けられている。
【００５０】
このように構成されたコネクタ付電線２０、４０及びそれらの嵌合体１０によると、覆い部材６０は、コネクタハウジング２２、４２の背部側で、少なくともキャビティ２６、４６の開口を覆っている。このため、図６に示すように、コネクタハウジング２２、４２の背部側からキャビティ２６、４６内に向かう風Ｗが吹いたとしても、当該風Ｗは覆い部材６０に遮られ、直接的にキャビティ２６、４６内に吹き込み難い。このため、空気中に含まれる異物を原因として、キャビティ２６、４６内、特に、端子３２、５２の表面に異物が発生し難くなる。これにより、キャビティ２６、４６内における電解質水溶液の発生が抑制され、端子３２、５２に腐食等が有効に抑制される。
【００５１】
なお、覆い部材６０が無い場合、図７に示す比較例のように、風Ｗが直接的にコネクタハウジング２２のキャビティ２６内に吹き込む。このため、空気中に含まれていた異物を原因として、キャビティ２６内、特に、端子３２の表面に異物が発生してしまう恐れがある。
【００５２】
また、電線３６、５６が引出される側で、覆い部材６０とコネクタハウジング２２、４２との間に開口が形成されている。このため、覆い部材６０は、そのような箇所に開口ができる程度で、コネクタハウジング２２、４２に取付けられればよい。ここでは、粘着テープ６２をコネクタハウジング２２、４２の嵌合体に対して１周以上巻き付ければよい。このため、従来のように、粘着テープをコネクタから電線にかけて螺旋状に巻き付けていく構成と比較して、簡易な構造とすることができる。
【００５３】
しかも、覆い部材６０は、電線３６、５６が延出する側と反対側でも開口するように、コネクタハウジング２２、４２に取付けられているため、そのような両側に開口を設けた状態で、覆い部材６０をより容易にコネクタハウジング２２、４２に取付けることができる。
【００５４】
つまり、本構成は、防水性はそれ程必要としないが、キャビティ２６、４６内で発生した異物による劣化（例えば、異物を原因とする端子３２の腐食等）を簡易に抑制したいような場合に、有効な構成であるといえる。
【００５５】
また、キャビティ２６、４６内で水が発生したとしても、水は上記開口を通じて容易に外部に出ることができる。つまり、開口によって、ある程度の排水性、通気性を確保することができる。
【００５６】
また、覆い部材６０等を手直ししたい場合、コネクタハウジング２２、４２を一旦嵌合解除したい場合においても、上記覆い部材６０の周囲を切断すれば、覆い部材６０を除去できる。また、再度粘着テープ６２をコネクタハウジング２２、４２の嵌合体の周囲に巻き付ければ、再度、覆い部材６０を設けることができる。
【００５７】
また、コネクタハウジング２２、４２が車両等に取付けられた状態で、電線３６、５６は、下方に向いている。このため、電線３６、５６を伝った液体がキャビティ２６、４６内に進入し難くなる。
【００５８】
また、覆い部材６０は、粘着テープ６２によって構成されているため、汎用性ある粘着テープ６２によって覆い部材６０を構成することができる。また、コネクタハウジング２２、４２のサイズ等が変更したとしても、当該サイズに応じて、粘着テープ６２をコネクタハウジング２２、４２の嵌合体に巻き付ければよいため、各種形状、サイズのコネクタハウジング２２、４２に対して適用可能な汎用性ある構成とすることができる。
【００５９】
また、本実施形態においては、覆い部材６０は、コネクタハウジング２２、４２の嵌合体の周囲を囲んでいるため、簡易な構成によって、２つのコネクタハウジング２２、４２のそれぞれにおけるキャビティ２６、４６内の異物の発生を抑制することができる。
【００６０】
また、覆い部材６０は、コネクタハウジング２２、４２の嵌合状態を維持する役割をも果たす。
【００６１】
｛変形例｝
上記実施形態では、コネクタハウジング２２、４２の嵌合体に対して共通する覆い部材６０を設けた例で説明したが、図８に示すコネクタ付電線２０のように、単独のコネクタハウジング２２に対して覆い部材１６０が設けられていてもよい。この例では、覆い部材１６０は粘着テープ６２によって構成されており、粘着テープ６２の両端部がコネクタハウジング２２の両面に粘着され、粘着テープ６２の延在方向中間部がコネクタハウジング２２の背部側から複数の電線３６の曲げ箇所を外側から覆っている。このため、上記実施形態と同様に、簡易な構成で、キャビティ２６内への風の侵入を抑制し、もって、内部での異物の発生を抑制することができる。
【００６２】
また、覆い部材６０は、粘着テープ６２で構成される必要は無い。例えば、コネクタハウジング２２、４２のキャビティ２６、４６の背部側開口を覆える程度の幅を有するリング状の弾性部材（例えば、幅広なゴムバンド等）を、コネクタハウジング２２、４２の嵌合体の周囲を囲うように当該嵌合体の周囲に巻き付けるようにしてもよい。かかるリング状の弾性部材であれば、伸縮可能であるため、ある程度のサイズ、形状のコネクタハウジング２２、４２に装着可能であり、汎用性を持たせることができる。
【００６３】
また、覆い部材６０は、コネクタハウジング２２、４２のサイズ、形状に応じて専用設計された樹脂製の金型成形部品であってもよい。
【００６４】
なお、上記実施形態及び各変形例で説明した各構成は、相互に矛盾しない限り適宜組合わせることができる。
【００６５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６６】
１０    コネクタ付電線の嵌合体
２０    第１コネクタ付電線
２２    コネクタハウジング
２６    キャビティ
３０    端子付電線
３２    端子
３６    電線
４０    第２コネクタ付電線
４２    相手側コネクタハウジング
４６    相手側キャビティ
５０    相手側端子付電線
５２    相手側端子
５６    相手側電線
６０、１６０    覆い部材
６２    粘着テープ
６４    コネクタハウジングの嵌合体
【図１】
2018037148.tif 000003
【図２】
2018037148.tif 000004
【図３】
2018037148.tif 000005
【図４】
2018037148.tif 000006
【図５】
2018037148.tif 000007
【図６】
2018037148.tif 000008
【図７】
2018037148.tif 000009
【図８】
2018037148.tif 000010